(57)【特許請求の範囲】
【請求項１】
弾性を有し且つ外周に凹溝を形成すると共にケーブルを挿通の１個又は複数個の挿通孔を形成のシール部材を、筒状のニップルとワッシャ及び袋ナットとで挟着してなるケーブルのシールコネクタであって、
前記シール部材５の両側外周に前記ワッシャの突起部２６ａに当接可能な突起部５ｃを形成し、且つ、前記シール部材５に形成の凹溝５ａの断面形状をＶ字状であることを特徴とするシールコネクタ。
【請求項２】
シール部材５に形成のＶ字状の凹溝５ａの断面外側５ｅもＶ字状であることを特徴とする請求項１のシールコネクタ。
【発明の詳細な説明】
【０００１】
【発明の属する技術分野】
本発明は、ホースやチューブ或いはキャプタイヤケーブル、多芯ケーブル等のシールコネクタであり、特に、ケーブルの端部にプラグやソケット等を付設したケーブルを遮蔽板等を介して接続するときに使用するシールコネクタに関する。
【０００２】
【従来の技術】
従来のシールコネクタ１Ａについて、上側に側断、下側に側面を示す図６を参照して説明する。
円筒状のニップル２０に形成の突部２０ａの左側部には、Ｏリング溝２０ｂが形成してあると共に、前記突部２０ａの左外周面にはロックナット２２に螺合するネジ２０ｃが、一方、反対側の内周面には袋ナット２１に螺合するネジ２０ｄが各々形成してある。
尚、２３は防水用のＯリングであり、ロックナット２２を介して遮蔽板３０に密着するシール部材である。
【０００３】
２５は弾性を有するゴム製のシール部材で、前記ニップル２０に嵌挿可能な筒体で外周中央部に凹溝２５ａが形成してあると共に、中心にケーブル２の外径より僅かに大きな内径の挿通孔２５ｂが形成してある。
２６は金属製のワッシャであり、前記袋ナット２１を締め付けたとき、シール部材２５をニップル２０側に押圧する。
【０００４】
前記構成のコネクター１Ａは、ロックナット２２を介して遮蔽板３０に挟着されＯリング２３でシールをなす。
一方、ケーブル２はワッシャ２６、シール部材２５及びニップル２０を挿通した後、袋ナット２１を締め付けることによってシールがされる。
即ち、シール部材２５は、ワッシャ２６の押圧力によって、シール部材２５の凹溝２５ａが、更に深い凹溝状に変形することで内径が小さくなり、シール部材２５の内周面２５ｘがケーブル２の外周に密着してシールをなす。
【０００５】
【発明が解決しようとする課題】
今日、工作機械等に使用するケーブル２は、図３に示すように、予め、ケーブル２の端部にプラグ３、他端部にソケット４等の電気機器を付設成形したものが、シール性の向上や使用のし易さ等を考慮して生産されている。
そこで、本発明は、ケーブルのシール性を考慮して使用できるシールコネクターを提供するものである。
【０００６】
【課題を解決するための手段】
請求項１のシールコネクタは、弾性を有し且つ外周に凹溝を形成すると共にケーブルを挿通の１個又は複数個の挿通孔を形成のシール部材を、筒状のニップルとワッシャ及び袋ナットとで挟着してなるものである。
又、シール部材５の両側外周には、ワッシャの突起部２６ａに当接可能な突起部５ｃが形成してあり、且つ、シール部材５に形成の凹溝５ａの断面形状はＶ字状である。
【０００７】
又、請求項２のシールコネクタは、シール部材５に形成のＶ字状の凹溝５ａの断面外側５ｅもＶ字状である。
【０００８】
【発明の実施の態様】
本実施の態様のシールコネクタについて図面を参照して説明すると、図１は遮蔽板に取付けたときの構成部品を示す図であり、上部に断面、下部に正面を示す。又、図２はシール部材を示す図である。尚、従来と同じ作用をなす部品には同じ符号を附す。
【０００９】
ホースやチューブ或いはキャプタイヤケーブル等（以下、ケーブルという）２は、図３に示すように、端部にプラグ３（高さＨ）が、他端部にソケット４（高さｈ）が一体成型してあり、各々機械Ａ、機械Ｂに接続する。
２０は、金属又は樹脂製等の円筒状（内径Ｄｉ）のニップルであって、突部２０ａの左側部にはＯリング溝２０ｂが形成してある。
又、前記突部２０ａの左外周面には、ロックナット２２に螺合するネジ２０ｃが、一方、反対側の内周面には袋ナット２１に螺合するネジ２０ｄがそれぞれ形成してある。
尚、２３は防水用のＯリングであり、ロックナット２２を介して遮蔽板３０に密着するシール部材である。
【００１０】
５は弾性を有するゴム、樹脂等で形成のシール部材であって、外周の中央（正面視）にはＶ字状の凹溝５ａが形成され、中心にはケーブル２の外径より僅かに大きな内径の挿通孔５ｂが形成してあると共に、その挿通孔５ｂに平行な外周から、前記挿通孔５ｂに向けて切目３３が形成してある。
そのため、図２に示すように、シール部材５の切目３３からケーブル２を挿通孔５ｂに簡便に装着できる。
又、前記シール部材５の形成のＶ字状の凹溝５ａの断面外側５ｅもＶ字状である。
【００１１】
２１は袋ナットであって、外周に前記ニップル２０に形成のネジ２０ｄに螺合するネジ２１ａが形成してあると共に、内周には後述するワッシャ２６を嵌合可能な段差２１ｂが形成してある。
２６は合成樹脂や金属製のワッシャであって、このワッシャ２６は内径ｄｉで断面Ｌ字の筒状体であって、前記シール部材５に嵌合可能であると共に、突起部２６ａはシール部材５の突起部５ｃに当接可能で、且つ、外周は袋ナット２１の内周に形成の段差２１ｂに嵌合可能になっている。
そして、袋ナット２１を、ネジ２１ａ、ネジ２０ｄを介して締め付けると、ワッシャ２６を介して、シール部材５をニップル２０側に押圧する。
【００１２】
尚、前記ニップル２０（内径Ｄｉ）、ワッシャ２６（内径ｄｉ）、プラグ３（高さＨ）或いはソケット４（高さｈ）の関係について説明すると、ニップル２０の内径Ｄｉとワッシャ２６の内径ｄｉの小さい方の径（例えば、ｄｉ＜Ｄｉ）は、プラグ３（高さＨ）とソケット４（高さｈ＜Ｈ）の少なくとも何れかを挿通可能に成形してある。
即ち、ソケット４（或いはプラグ３）は、ニップル２０（内径Ｄｉ）とワッシャ２６（内径ｄｉ）及び袋ナット２１を挿通可能に形成してあるが、小さい方のソケット４が挿通可能に形成すると、ニップル２０（内径Ｄｉ）等が小さくて済むため好ましい。
【００１３】
次に、図３に示すケーブル２の端部にプラグ３、他端部にソケット４等の電気機器を付設成形したケーブル２を、前記構成のシールコネクタで遮蔽板３０に取り付ける方法について、図１及び図４を参照して説明する。
【００１４】
先ず、ニップル２０を遮蔽板３０に穿設の孔に挿入し、ロックナット２２で締め付けると、Ｏリング２３で遮蔽板３０とのシールがされる。
次に、ソケット４を、ニップル２０、ワッシャ２６、袋ナット２１に挿通した後に、ケーブル２を、図２に示すように、シール部材５の切目３３を開いて挿通孔５ｂに装着する。このように、シール部材５の挿通孔５ｂは、ソケット４を挿通はできないが、切目３３によってケーブル２を装着することができる。
【００１５】
次に、シール部材５をニップル２０に挿入し、ワッシャ２６をシール部材５に装着した後に、袋ナット２１を締め付けると、ワッシャ２６はシール部材５を押圧し、シール部材５の内径はＶ字状の凹溝５ａの幅の縮小によって内径方向に膨出して、シール部材５の内周面５ｘがケーブル２の外周面に密着してシールをなす。
以上、本発明のシールコネクタ１は、ケーブル２の端部にプラグ３等が付設してあっても、シール部材５に切目３３を形成することによって、遮蔽板３０に対して、従来のシール性を保持することができる。
【００１６】
次に、図５は、複数本（例えば、３本）のケーブル２に使用できるシール部材５Ａであり、ケーブルの外径より僅かに大きな挿通孔５ｂを複数個、穿設すると共に、それぞれの挿通孔５ｂに平行な外周から各挿通孔５ｂに向けて切目３３が形成してある。
そのため、シール部材５Ａを用いるシールコネクタ１は、各ケーブル２を各々の切目から挿通孔５ｂに装着できるので、各ケーブルの端部にプラグ３等が付設してあるケーブルに対しても使用できる。
【００１７】
尚、切目３３を形成のシール部材５、５Ａは、ケーブル２の端部にプラグ３等が付設してあるケーブルの他、従来のようにプラグ３等が付設していないケーブルに対しても使用でき、この場合、ケーブル２を切目３３から装着すればよいため簡便に装着できる。又、この場合には、ソケット４（或いはプラグ３）をニップル２０とワッシャ２６に挿入する必要がないので、各々の内径は適宜に形成すればよいことはいうまでもない。
【００１８】
【発明の効果】
本発明の請求項１のシールコネクタは、シール部材５に形成の凹溝５ａの断面形状はＶ字状であり、又、請求項２のシールコネクタは、シール部材５に形成のＶ字状の凹溝５ａの断面外側５ｅもＶ字状であるので、シール部材５の内周面５ｘがケーブル２の外周面に密着してシールをなす。
【図面の簡単な説明】
【図１】シールコネクタの構成部品を示す図であって、上部が断面、下部が正面を示す図である。
【図２】シール部材とケーブルを示す斜視図である。
【図３】端部にプラグと他端部にソケットを付設成形したケーブルを示す図である。
【図４】シールコネクタを遮蔽板に取り付けた断面図である。
【図５】他の構成のシール部材を示す斜視図である。
【図６】従来のシールコネクタの断面図である。
【符号の説明】
２  ケーブル
３  プラグ
４  ソケット
５  シール部材
５ａ  Ｖ字状の凹溝
２０  ニップル
２１  袋ナット
２２  ロックナット
２６  ワッシャ
３０  遮蔽板
３３  切目
【図１】
0003592079.tif 000002
【図２】
0003592079.tif 000003
【図３】
0003592079.tif 000004
【図４】
0003592079.tif 000005
【図５】
0003592079.tif 000006
【図６】
0003592079.tif 000007